(57)【特許請求の範囲】
【請求項１】
流体を媒体に吐出するためのノズルと、
該媒体を保持するための保持領域と、開口が形成された非保持領域と、を周面に備え、該周面を前記ノズルに対向させながら回転する回転ドラムと、
前記回転ドラム内に備えられ、フラッシングのために前記ノズルから前記開口に向けて吐出された流体、を外周部にて吸収する吸収ドラムと、
を有し、
前記吸収ドラムは、該吸収ドラムの回転軸が前記回転ドラムの回転軸に沿った状態で回転可能に支持され、かつ、
前記外周部のうち、フラッシングのために前記ノズルから前記開口に向けて流体が吐出される際に該開口により露出する露出位置に位置する領域、にて前記流体を受けることにより、当該領域にて前記流体を吸収し、
前記吸収ドラムは、前記回転ドラムが回転する間に該回転ドラムとは異なる角速度にて回転し、
前記吸収ドラム及び前記回転ドラムの角速度の相対関係は、
複数回のフラッシングが実施される場合に、前記外周部のうち、前記複数回のフラッシング中の一のフラッシングのために前記ノズルから流体が吐出される際に前記露出位置に位置する領域と、他のフラッシングのために前記ノズルから流体が吐出される際に前記露出位置に位置する領域と、が前記吸収ドラムの回転方向において異なるような関係、
であることを特徴とする流体吐出装置。
【請求項２】
請求項１に記載の流体吐出装置において、
前記回転ドラム及び前記吸収ドラムの角速度の相対関係は、
前記外周部のうち、フラッシングのために前記ノズルから前記開口に向けて流体が吐出される際に前記露出位置に位置する領域が、フラッシング毎に、前記吸収ドラムの回転方向において一定間隔ずつ変化するような関係、
であることを特徴とする流体吐出装置。
【発明の詳細な説明】
【技術分野】
【０００１】
本発明は、流体吐出装置に関する。特に、流体を媒体に吐出するためのノズルと、該媒体を保持するための保持領域と非保持領域とを周面に備え、該周面を前記ノズルに対向させながら回転する回転ドラムと、を有する流体吐出装置に関する。
【背景技術】
【０００２】
流体を媒体に吐出するためのノズルと、該媒体を保持するための保持領域と非保持領域とを周面に備え、該周面を前記ノズルに対向させながら回転する回転ドラムと、を有する流体吐出装置は既に知られている。このような流体吐出装置の中には、前記回転ドラムの周面の非保持領域に開口が形成されているものがある。かかる流体吐出装置では、フラッシングのために前記ノズルから前記開口に向けて流体が吐出される。さらに、上記の流体吐出装置の中には、フラッシングのために前記ノズルから前記開口に向けて吐出された前記流体、を吸収する吸収部材が前記回転ドラムに取り付けられているものもある（例えば、特許文献１参照）。
【特許文献１】特開２００６−２３９８７１号公報
【発明の開示】
【発明が解決しようとする課題】
【０００３】
ところで、上記吸収部材が、フラッシングのためにノズルから開口に向けて吐出された流体、を吸収すると、該吸収部材が前記回転ドラムの回転に対して影響を及ぼす場合がある。例えば、前記吸収部材が回転ドラムに取り付けられている場合、該回転ドラムにおける前記吸収部材の取付位置に局所的に流体が吸収されることになり、回転中の回転ドラムの重量バランスが変化し、該回転ドラムの回転に支障を来たしてしまう可能性がある。
【０００４】
本発明は、かかる課題に鑑みてなされたものであり、その目的とするところは、回転ドラムの回転に支障を来たすことなく、フラッシングのためにノズルから吐出される流体、を吸収することである。
【課題を解決するための手段】
【０００５】
上記の課題を解決するために、主たる発明は、流体を媒体に吐出するためのノズルと、該媒体を保持するための保持領域と、開口が形成された非保持領域と、を周面に備え、該周面を前記ノズルに対向させながら回転する回転ドラムと、前記回転ドラム内に備えられ、フラッシングのために前記ノズルから前記開口に向けて吐出された流体、を外周部にて吸収する吸収ドラムと、を有し、前記吸収ドラムは、該吸収ドラムの回転軸が前記回転ドラムの回転軸に沿った状態で回転可能に支持され、かつ、前記外周部のうち、フラッシングのために前記ノズルから前記開口に向けて流体が吐出される際に該開口により露出する露出位置に位置する領域、にて前記流体を受けることにより、当該領域にて前記流体を吸収し、前記吸収ドラムは、前記回転ドラムが回転する間に該回転ドラムとは異なる角速度にて回転し、前記吸収ドラム及び前記回転ドラムの角速度の相対関係は、複数回のフラッシングが実施される場合に、前記外周部のうち、前記複数回のフラッシング中の一のフラッシングのために前記ノズルから流体が吐出される際に前記露出位置に位置する領域と、他のフラッシングのために前記ノズルから流体が吐出される際に前記露出位置に位置する領域と、が前記吸収ドラムの回転方向において異なるような関係、であることを特徴とする流体吐出装置である。
【０００６】
本発明の他の特徴については、本明細書及び添付図面の記載により明らかにする。
【発明を実施するための最良の形態】
【０００７】
本明細書及び添付図面の記載により少なくとも次のことが明らかにされる。  
先ず、流体を媒体に吐出するためのノズルと、該媒体を保持するための保持領域と、開口が形成された非保持領域と、を周面に備え、該周面を前記ノズルに対向させながら回転する回転ドラムと、前記回転ドラム内に備えられ、フラッシングのために前記ノズルから前記開口に向けて吐出された流体、を外周部にて吸収する吸収ドラムと、を有する流体吐出装置。  
このような流体吐出装置であれば、フラッシングのためにノズルから吐出された流体、を吸収する吸収部材として、回転ドラムとは別部材の吸収ドラムが、該回転ドラムの内部に備えられている。これにより、回転ドラムの回転に支障を来たすことなく前記流体を吸収することが可能になる。かかる効果の詳細については、後述する。
【０００８】
また、上記の流体吐出装置において、前記吸収ドラムは、該吸収ドラムの回転軸が前記回転ドラムの回転軸に沿った状態で回転可能に支持され、かつ、前記外周部のうち、フラッシングのために前記ノズルから前記開口に向けて流体が吐出される際に該開口により露出する露出位置に位置する領域、にて前記流体を受けることにより、当該領域にて前記流体を吸収することとしてもよい。
【０００９】
かかる構成であれば、前記吸収ドラムが回転することにより、前記外周部のうち、フラッシングのために前記ノズルから前記開口に向けて流体が吐出される際に前記露出位置に位置する領域、を前記吸収ドラムの回転方向において変化させることが可能になる。これにより、吸収ドラムの外周部において、フラッシングのためにノズルから吐出される流体、を吸収する領域が局在化してしまうことを抑制することが可能になる。つまり、当該外周部にバランスよく流体を吸収させることが可能になる。この結果、回転ドラムの回転に支障を来たすことなく前記流体を吸収することが可能になる。
【００１０】
また、上記の流体吐出装置において、前記吸収ドラムは、前記回転ドラムが回転する間に該回転ドラムとは異なる角速度にて回転することとしてもよい。かかる流体吐出装置であれば、吸収ドラムの外周部において、フラッシングのためにノズルから吐出される流体、を吸収する領域が局在化してしまうのをより効果的に抑制して、前記外周部によりバランスよく流体を吸収させることが可能になる。
【００１１】
また、上記の流体吐出装置において、前記吸収ドラム及び前記回転ドラムの角速度の相対関係は、複数回のフラッシングが実施される場合に、前記外周部のうち、前記複数回のフラッシング中の一のフラッシングのために前記ノズルから流体が吐出される際に前記露出位置に位置する領域と、他のフラッシングのために前記ノズルから流体が吐出される際に前記露出位置に位置する領域と、が前記吸収ドラムの回転方向において異なるような関係、であることとしてもよい。
【００１２】
かかる流体吐出装置であれば、吸収ドラムの外周部のうち、フラッシングのためにノズルから吐出される流体を吸収する領域、が自動的に変化する。これにより、吸収ドラムの外周部において、フラッシングのためにノズルから吐出される流体を吸収する領域、が局在化してしまうことを一層効果的に抑制し、前記外周部に更にバランスよく流体を吸収させることが可能になる。この結果、回転ドラムの回転に支障を来たすことなく前記流体を吸収させることが可能になる。また、例えば、ユーザが手動により吸収ドラムを回転させて、フラッシングのためにノズルから吐出される流体を吸収する領域、を変える手間が不要となる。
【００１３】
また、上記の流体吐出装置において、前記回転ドラム及び前記吸収ドラムの角速度の相対関係は、前記外周部のうち、フラッシングのために前記ノズルから前記開口に向けて流体が吐出される際に前記露出位置に位置する領域が、フラッシング毎に、前記吸収ドラムの回転方向において一定間隔ずつ変化するような関係、であることとしてもよい。
【００１４】
かかる流体吐出装置であれば、吸収ドラムの外周部全域に、バランス良く、フラッシングのためにノズルから吐出される流体、を吸収させることが可能になる。これにより、回転ドラムの回転に支障を来たすことなく前記流体を吸収する効果、がより効果的に発揮される。
【００１５】
＝＝＝本発明に係る流体吐出装置について＝＝＝
以下、本発明に係る流体吐出装置の一例として、インクジェットプリンタ（以下、プリンタ１０と言う）を例に挙げて説明する。
【００１６】
＜＜プリンタ１０の構成＞＞
先ず、図１及び図２を参照しながら、プリンタ１０の構成の概要について説明する。  
図１は、プリンタ１０の構造を模式的に示す斜視図である。なお、図１には、プリンタ１０の上下方向と、ヘッド３１の移動方向（走査方向）が矢印にて示されている。図２は、紙保持ドラム２０及びその周辺機器の構造を示す断面図である。図２は、その法線方向が紙保持ドラム２０の中心軸方向と一致する断面を示している。
【００１７】
本実施形態のプリンタ１０は、不図示のホストコンピュータから印刷データを受信すると、該印刷データに基づき、媒体の一例としての紙に、流体の一例としての紫外線硬化型インク（以下、ＵＶインク）を吐出して該紙に画像を印刷する装置である。ＵＶインクは、ビヒクル、光重合開始剤及び顔料の混合物に、消泡剤等の補助剤を添加して調合されたインクである。そして、プリンタ１０は、図１に示すように、回転ドラムとしての紙保持ドラム２０と、ヘッド部３０と、ＵＶ照射部４０とを有する。さらに、本実施形態のプリンタ１０は、図２に示すように、吸収ドラム２００を有している。
【００１８】
紙保持ドラム２０は、その周面２２に紙を保持した状態で回転する中空状のドラムである。この紙保持ドラム２０は、図１に示すように、その中心軸方向両端部に回転軸（以下、紙保持ドラム回転軸２１）を有し、対面して直立した一対のフレーム１２に該紙保持ドラム回転軸２１が軸受１４（図７参照）を介して支持されることにより回転可能に支持されている。そして、紙保持ドラム２０は、駆動モータ８０（図７参照）からの駆動力を受けて、紙保持ドラム回転軸２１を中心にして、図１中、矢印にて示す方向に一定の角速度ω１にて回転する。
【００１９】
本実施形態では、図２に示すように、紙保持ドラム２０の周面２２に、紙を保持するための保持領域２２ａと、紙を保持しない非保持領域２２ｂと、が備えられている。また、非保持領域２２ｂには、紙保持ドラム２０の軸方向における長さよりも一回り小さい幅、を有する略矩形状の開口２３が形成されている。さらに、図２に示すように、本実施形態の紙保持ドラム２０の内部には、吸収ドラム２００が収容されている。吸収ドラム２００については、後に詳述する。
【００２０】
ヘッド部３０は、紙保持ドラム２０の周面２２（より正確には保持領域２２ａ）に保持された紙にＵＶインクを吐出するためのものである。このヘッド部３０は、図２に示すように、ヘッド３１と、該ヘッド３１を搭載するヘッドキャリッジ３２と、を有する。
【００２１】
ヘッド３１は、紙保持ドラム２０の周面２２と対向し、ノズルが形成されたノズル面３１ａを有する。換言すると、紙保持ドラム２０は、その周面２２をノズルに対向させながら回転する。ノズルは、紙保持ドラム２０の周面２２に保持された紙にＵＶインクを吐出するためのノズルである。ヘッドキャリッジ３２は、紙保持ドラム回転軸２１に沿うガイド軸５１、５２に支持されており、ガイド軸５１、５２に沿って往復移動する。このため、ヘッド３１は、ヘッドキャリッジ３２の移動により、ガイド軸５１、５２の軸方向に沿って往復移動可能となる。すなわち、ガイド軸５１、５２の軸方向が、ヘッド３１の移動方向、すなわち、走査方向に相当する。なお、図２に示すように、ヘッドキャリッジ３２には、ＵＶインクを収容するインクカートリッジ３３が着脱可能に取り付けられている。
【００２２】
ＵＶ照射部４０は、紙に付着したＵＶインクに紫外線を照射するためのものである。このＵＶ照射部４０は、紙保持ドラム２０の回転方向においてヘッド部３０よりも下流側に位置する。また、ＵＶ照射部４０は、紙保持ドラム２０の回転方向に並ぶように整列された複数のランプユニット４１と、当該複数のランプユニット４１を搭載する照射部キャリッジ４２と、を有する。
【００２３】
複数のランプユニット４１の各々は、紙保持ドラム２０の周面２２と対向する対向面を備え、不図示の光源から発せられる紫外線を該対向面から紙保持ドラム２０の周面２２に向けて照射する。複数のランプユニット４１の各々が有する対向面は前記紙保持ドラム２０の回転方向に沿って並んで列を成している。このように前記回転方向に沿った複数の対向面が、ＵＶ照射部４０が紫外線を照射するために備える照射面４０ａ、を形成している。そして、紙保持ドラム２０は、その周面２２を前記照射面４０ａに対向させながら回転する。照射部キャリッジ４２は、紙保持ドラム回転軸２１に沿うガイド軸５３、５４に支持されており、ガイド軸５３、５４に沿って移動する。このため、複数のランプユニット４１は照射部キャリッジ４２の移動により、ガイド軸５３、５４の軸方向に沿って移動する。
【００２４】
＜＜ノズルについて＞＞
次に、図３及び図４を参照しながら、ヘッド３１のノズル面３１ａに形成されたノズルについて説明する。図３は、ヘッド部３０の斜視図である。図４は、ノズル面３１ａを示した図であり、ヘッド部３０を、図３中、矢印にて示す方向から見た図である。なお、図３及び図４には、ヘッド３１の走査方向が示されている。  
本実施形態のヘッド部３０には、図３に示すように、複数のヘッド３１（本実施形態では、５つのヘッド３１）が、走査方向に並んだ状態で備えられている。これらのヘッド３１の各々は、互いに種類が異なるＵＶインクを吐出する。具体的に説明すると、ブラック色のＵＶインクを吐出するヘッド３１と、シアン色のＵＶインクを吐出するヘッド３１と、マゼンタ色のＵＶインクを吐出するヘッド３１と、イエロー色のＵＶインクを吐出するヘッド３１と、ホワイト色のＵＶインクを吐出するヘッド３１と、が備えられている。  
ヘッド３１のノズル面３１ａには、図４に示すように、走査方向に沿って一定の間隔で整列した複数のノズルが形成されている。各ノズルには、インクチャンバー及びピエゾ素子（インクチャンバー及びピエゾ素子ともに不図示）が設けられており、ピエゾ素子の駆動によってインクチャンバーが伸縮・膨張することにより、ノズルからＵＶインクが滴状に吐出される。
【００２５】
＜＜ＵＶ照射部４０について＞＞
次に、図５を参照しながら、ＵＶ照射部４０について説明する。図５は、ＵＶ照射部４０の斜視図である。なお、図５には、矢印にて、ヘッド３１の走査方向に相当する方向（図５中、単に走査方向と示す）が示されている。  
本実施形態のＵＶ照射部４０には、紙保持ドラム２０の回転方向に沿って整列された複数のランプユニット４１（以下、ランプユニット列とも言う）が、ヘッド３１の数に対応して複数備えられている。すなわち、本実施形態では、ブラック色のＵＶインク用のランプユニット列と、シアン色のＵＶインク用のランプユニット列と、マゼンタ色のＵＶインク用のランプユニット列と、イエロー色のＵＶインク用のランプユニット列と、ホワイト色のＵＶインク用のランプユニット列が備えられている。これらのランプユニット列は、図５に示すように、共通のホルダー４３に装着され、ヘッド３１の走査方向に相当する方向に沿って並んでいる。したがって、インクの種類に対応した照射面４０ａが走査方向に複数並ぶことになる。  
以上のように、ランプユニット列がＵＶインクの種類毎に備えられているため、ランプユニット４１から照射される紫外線の波長及び照射強度を、対応するＵＶインクの種類毎に設定することが可能である。なお、ランプユニット４１が備える光源としては、メタルハライドランプ、キセノンランプ、カーボンアーク灯、ケミカルランプ、低圧水銀ランプ、高圧水銀ランプ等が使用可能である。  
また、本実施形態では、各照射面４０ａの走査方向における幅が、各ヘッド３１のノズル面３１ａの走査方向における幅よりも長くなっている。
【００２６】
＜＜制御ユニット１００の構成＞＞
次に、図６を参照しながら、制御ユニット１００の構成について説明する。図６は、プリンタ１０の制御ユニット１００を示すブロック図である。  
制御ユニット１００のメインコントローラ１０１は、図６に示すように、ホストコンピュータと接続するためのインターフェイス１０２と、ホストコンピュータから入力された画像信号を記憶するための画像メモリ１０３と、を備えている。  
サブコントローラ１０４は、図６に示すように、プリンタ装置本体の各部（紙保持ドラム２０、ヘッド部３０、ＵＶ照射部４０など）と電気的に接続されている。そして、当該各部が備えるセンサからの信号を受信することによって、当該各部の状態を検出しつつ、メインコントローラ１０１から入力される信号に基づいて当該各部を制御する。
【００２７】
＜＜プリンタ１０の動作例＞＞
次に、以上のように構成されたプリンタ１０により紙に画像を印刷する動作例（印刷動作）について説明する。  
先ず、ホストコンピュータからの画像信号がインターフェイス１０２を介してプリンタ１０のメインコントローラ１０１に入力されると、このメインコントローラ１０１からの指令に基づいて、サブコントローラ１０４がプリンタ装置本体の各部を制御する。これにより、駆動モータ８０が作動して紙保持ドラム２０が回転するとともに、ＵＶ照射部４０が紫外線を照射する。
【００２８】
一方、給紙部６０から供給された紙が、紙保持ドラム２０まで搬送され、該紙の紙幅方向が紙保持ドラム回転軸２１の軸方向に沿うように該紙保持ドラム２０に巻きつけられる。そして、紙は、紙保持ドラム２０の周面２２の保持領域２２ａに設けられた保持機構（不図示）により、該保持領域２２ａ上に保持される。
【００２９】
紙が紙保持ドラム２０の周面２２に保持されて該紙保持ドラム２０とともに回転するようになると、各ヘッド３１のノズルからＵＶインクが吐出される。そして、紙の、ヘッド３１のノズル面３１ａに対向する位置に至る部分に、ＵＶインクが着弾する。このとき、紙が回転しているため、紙のヘッド３１のノズル面３１ａに対向する位置に至る部分は、紙幅方向と交差する方向において変化する。この結果、紙には、紙幅方向と交差する方向に沿ったドットラインが形成される。
【００３０】
また、紙の回転により、紙のＵＶインクが付着した部分がＵＶ照射部４０の照射面４０ａに対向する位置に移動すると、該ＵＶインクに紫外線が照射される。これにより、ノズルから吐出されたＵＶインクが紙に付着すると、該ＵＶインクに即座に紫外線が照射され、該ＵＶインクは硬化するようになる。この結果、紙に形成されたドットラインが紙に定着する。
【００３１】
なお、ランプユニット４１（より正確には、ランプユニット列）がＵＶインクの種類毎に備えられているため、紙に付着したＵＶインクは、その種類に対応したランプユニット４１からの紫外線を受けることとなる。
【００３２】
また、本実施形態では、紙保持ドラム２０の回転方向に沿って複数のランプユニット４１が配置されているため（換言すると、照射面４０ａが前記回転方向において一定の長さを有するため）、紙のＵＶインクが付着した部分が照射面４０ａに対向する時間を十分に確保することが可能である。このため、紙に付着したＵＶインクに十分に紫外線を照射することが可能である。
【００３３】
紙が更に回転して、紙保持ドラム２０の周面２２のうち、非保持領域２２ｂがノズルと対向する位置に至ると、各ヘッド３１が走査方向に移動する。その後、上記と同様の動作が実行される。この結果、既に紙に硬化して付着しているＵＶインクに、該ＵＶインクとは異なる色のＵＶインクを重ねて付着することとなる。したがって、未硬化のＵＶインクに他の色のＵＶインクが混ざり合うことが防止される。なお、前述したように、紙保持ドラム２０が回転している間に各ヘッド３１を走査方向に移動させる必要があるため、紙保持ドラム２０の周面２２の一部の領域については、当該一部の領域がノズルと対向した際に該ノズルからのインクの吐出が行われないようになっている。そして、前記非保持領域２２ｂが当該一部の領域に相当する。
【００３４】
また、各ヘッド３１が走査方向に移動することに伴い、各ランプユニット４１も走査方向に移動する。これにより、各ヘッド３１が移動した後にも、各ランプユニット４１が、当該各ランプユニット４１に対応した種類のＵＶインクに紫外線を照射するようになる。なお、照射面４０ａの幅が、各ヘッド３１のノズル面３１ａの幅よりも長いため、ヘッド３１及びランプユニット４１が移動するタイミングが多少ずれた場合であっても、紙に付着したＵＶインクに十分に紫外線を照射することが可能である。
【００３５】
以上のような動作が繰り返し実行される結果、紙の画像印刷領域全域に亘って各色のドットラインが定着する。これにより、最終的に紙に画像が印刷される。そして、画像が印刷された紙は、紙保持ドラム２０から剥離されて、排紙部６２に搬送される。
【００３６】
＝＝＝フラッシングによりノズルから吐出されるＵＶインクの吸収について＝＝＝
本実施形態では、ノズルから適切にＵＶインクを吐出させ続けるために、フラッシングが実施される。フラッシングとは、ノズル近傍にあって溶媒の蒸発により粘度が上昇したＵＶインク、によってノズルの目詰まりが発生するのを防止するために、該ＵＶインクを強制的にノズルから吐出する動作である。
【００３７】
また、フラッシングは、紙保持ドラム２０の周面２２の保持領域２２ａ、及び、該保持領域２２ａに保持された紙、にＵＶインクが付着しないように実施される必要がある。このため、本実施形態では、紙保持ドラム２０の周面２２のうち、非保持領域２２ｂに形成された開口２３にノズルが臨んだ際に、フラッシングが実施される。すなわち、本実施形態では、フラッシングのためにノズルから開口２３に向けてＵＶインクが吐出されることになる。
【００３８】
さらに、本実施形態では、紙保持ドラム２０が周面２２上にて紙を保持している間（すなわち、印刷動作の期間）を含め、該紙保持ドラム２０が回転している期間に、フラッシングが定期的に行われる。具体的に説明すると、紙保持ドラム２０の回転に伴ってノズルが前記開口２３に臨む度に、フラッシングが実施され、該フラッシングのために前記ノズルから前記開口２３に向けてＵＶインクが吐出される。
【００３９】
ところで、フラッシングのためにノズルから吐出されたＵＶインク（以下、廃インクとも言う）は、前記開口２３を通過した後、紙保持ドラム２０内において回収される必要がある。このため、本実施形態では、廃インクを回収するための機構としての吸収ドラム２００が、紙保持ドラム２０内に備えられている。以下、吸収ドラム２００について説明する。
【００４０】
＜＜吸収ドラム２００の構成＞＞
先ず、図２と図７を参照しながら、吸収ドラム２００の構成について説明する。図７は、吸収ドラム２００の構成についての説明図であり、図２中の断面Ａを示す模式図である。なお、図７には、紙保持ドラム２０の中心軸方向（図７において単に軸方向と示す）が矢印にて示されている。
【００４１】
吸収ドラム２００は、前記開口２３を通過して紙保持ドラム２０内に進入した廃インク、を吸収するための吸収部材であり、図２や図７に示すように、円筒状に成形された鋼材からなるドラム基部２０３の周面に、該ドラム基部２０３の外周全域に亘って、スポンジ等の多孔質な吸液材料、が巻き付けられた部材である。つまり、吸収ドラム２００の外周部２０２は前記吸液材料からなり、吸収ドラム２００は、当該外周部２０２にて、紙保持ドラム２０内に進入した廃インクを吸収する。
【００４２】
また、吸収ドラム２００は、図７に示すように、その中心軸方向両端部に回転軸（以下、吸収ドラム回転軸２０１）を有し、該吸収ドラム回転軸２０１が紙保持ドラム回転軸２１に沿った状態で、紙保持ドラム２０内において回転可能に支持されている。
【００４３】
具体的に説明すると、紙保持ドラム回転軸２１には、該紙保持ドラム回転軸２１に沿い、かつ、吸収ドラム回転軸２０１の外径より一回り大きい径を有する貫通孔２１ａが形成されている。そして、吸収ドラム回転軸２０１は、上記貫通孔２１ａに挿入された状態で、紙保持ドラム回転軸２１に対して相対回転可能に該紙保持ドラム回転軸２１に支持されている。これにより、吸収ドラム２００は、紙保持ドラム２０内において該紙保持ドラム２０に対して相対回転可能に支持されることになる。
【００４４】
なお、吸収ドラム回転軸２０１が紙保持ドラム回転軸２１に支持された状態では、吸収ドラム回転軸２０１の軸中心と、紙保持ドラム回転軸２１の軸中心とが略一致する。つまり、吸収ドラム回転軸２０１が紙保持ドラム回転軸２１に支持されると、図２に示すように、吸収ドラム２００の外周部２０２の断面、及び、紙保持ドラム２０の周面２２の断面の双方（いずれも中心軸に対して直交する断面）が同心円状に並ぶことになる。
【００４５】
また、吸収ドラム回転軸２０１のうち、吸収ドラム２００が紙保持ドラム２０内に支持された状態において該紙保持ドラム２０の中心軸方向一端側に位置する吸収ドラム回転軸２０１、の先端部２０１ａは、図７に示すように、前記貫通孔２１ａから紙保持ドラム回転軸２１の外側に突出している。当該吸収ドラム回転軸２０１の先端部２０１ａには、図７に示すように、歯車（以下、吸収ドラム歯車７２）が軸着されている。一方、紙保持ドラム２０の中心軸方向一端側に位置する紙保持ドラム回転軸２１の先端部２１ｂ、にも歯車（以下、紙保持ドラム歯車７１）が軸着されている。
【００４６】
そして、紙保持ドラム歯車７１及び吸収ドラム歯車７２は、ともに、駆動モータ８０の駆動軸８１に軸着された歯車と噛合する。具体的に説明すると、前記駆動軸８１には、紙保持ドラム歯車７１と噛合する第一駆動歯車７３ａ、及び、吸収ドラム歯車７２と噛合する第二駆動歯車７３ｂ、の双方を備えた複合歯車７３が軸着されている。
【００４７】
したがって、駆動モータ８０が作動して駆動軸８１が回転すると、紙保持ドラム２０及び吸収ドラム２００の双方が回転することになる。すなわち、本実施形態では、紙保持ドラム２０及び吸収ドラム２００の双方を回転させるために、当該双方にとって共通の駆動モータ８０が備えられている。したがって、本実施形態の吸収ドラム２００は、紙保持ドラム２０が回転する間に、一定の角速度にて回転することになる。
【００４８】
さらに、本実施形態では、紙保持ドラム歯車７１、吸収ドラム歯車７２、第一駆動歯車７３ａ、及び、第二駆動歯車７３ｂの各々の歯車数（換言すると、互いに噛合するギア間のギア比率）は、吸収ドラム２００が、紙保持ドラム２０とは異なる角速度にて回転するように設計されている。これにより、紙保持ドラム２０が角速度ω１にて回転する間、吸収ドラム２００は、角速度ω１とは異なる角速度ω２にて、図２中、矢印にて示す方向に回転することになる。ここで、角速度ω１、ω２の相対関係は、紙保持ドラム２０が一回転する間に、吸収ドラム２００がｆ／ｋ回転（ｆとｋは互いに素であり、本実施形態では、９９／１２５回転）するような関係になっている。
【００４９】
以上のような構成の吸収ドラム２００（より正確には、吸収ドラム２００の外周部２０２）によって、開口２３を通過して紙保持ドラム２０内に進入した廃インクが吸収される。
【００５０】
より具体的に説明すると、前述したように、紙保持ドラム２０の回転に伴ってノズルが開口２３に臨むと、フラッシングのために前記ノズルから該開口２３に向けてＵＶインクが吐出される。このとき、吸収ドラム２００の外周部２０２のうち、前記開口２３により露出する露出位置に位置する領域が、前記ＵＶインク（すなわち、廃インク）を受けるようになる。そして、前記ＵＶインクは当該領域にて吸収されて当該領域中に保持される。
【００５１】
ここで、露出位置に位置する領域とは、吸収ドラム２００の外周部２０２のうち、紙保持ドラム２０の回転中心から該紙保持ドラム２０の回転方向における前記開口２３の端に向かう２つの仮想平面（図２中、一転鎖線にて示す）により仕切られ、当該２つの仮想平面の内側に位置する領域のことである。
【００５２】
なお、本実施形態では、吸収ドラム２００における廃インクの吸収能力を持続させる目的のために、ドラム基部２０３の内部に吸引機構２１０（図６参照）を設けている。また、ドラム基部２０３の周面には、図７に示すように、吸引機構２１０が吸収ドラム２００の外側からの空気を吸気するために通気孔２０３ａが設けられている。
【００５３】
そして、吸引機構２１０より吸収ドラム２００の外側からの空気が通気孔２０３ａを介して吸気されると、吸収ドラム２００の外周部２０２における通気が促進され、当該外周部２０２に吸収された廃インク中の溶媒が気化し易くなる。この結果、吸収ドラム２００の吸収能力を持続させることが可能になる。なお、吸引機構２１０は、吸引機構駆動制御回路を介してサブコントローラ１０４により制御され、紙保持ドラム２０及び吸収ドラム２００が回転している間、常時作動し続ける。
【００５４】
＜＜吸収ドラム２００の動作例＞＞
次に、図８Ａ乃至図８Ｇを参照しながら、吸収ドラム２００の動作例、すなわち、吸収ドラム２００による廃インクの吸収について説明する。図８Ａ乃至図８Ｇは、吸収ドラム２００が廃インクを吸収する様子を経時的に示した図である。なお、吸収ドラム２００の状態は、図８Ａ、図８Ｂ、図８Ｃ、図８Ｄ、図８Ｅ、図８Ｆ、図８Ｇの順に遷移する。
【００５５】
本実施形態では、前述したように、紙保持ドラム２０が回転する期間中、定期的にフラッシングが実施される。特に、本実施形態では、紙保持ドラム２０が回転する期間において、当該紙保持ドラム２０の回転に伴ってノズルが開口２３に臨む度に、フラッシングのためにノズルからＵＶインクが吐出される。フラッシングのためにノズルから吐出されたＵＶインク（すなわち、廃インク）は、吸収ドラム２００の外周部２０２のうち、フラッシングのために前記ＵＶインクがノズルから吐出される際に前記露出位置に位置する領域、にて受けられ、該領域に吸収される。
【００５６】
また、本実施形態では、紙保持ドラム２０が角速度ω１にて回転する間、吸収ドラム２００は紙保持ドラム２０とは異なる回転速度ω２にて回転する。このような紙保持ドラム２０及び吸収ドラム２００の間の回転速度の差により、吸収ドラム２００の外周部２０２のうち、フラッシングのためにＵＶインクがノズルから吐出される際に前記露出位置に位置する領域が、フラッシング毎に、前記吸収ドラム２００の回転方向において変化するようになる（換言すると、ずれていくようになる）。
【００５７】
上記内容について、以下、具体的に説明する。なお、以下の説明では、紙保持ドラム２０が複数回回転する場合、つまり、複数回のフラッシングが実施される場合を想定して説明する。また、説明を分かり易くする為に、紙保持ドラム２０が静止することなく複数回連続して回転し、紙保持ドラム２０が回転し始めた時点においては、吸収ドラム２００の外周部２０２に廃インクが吸収（保持）されていないものとする。
【００５８】
紙保持ドラム２０が回転し始めてから、該紙保持ドラム２０の回転に伴ってノズルが最初に開口２３に臨むようになると、前記複数回のフラッシングのうち、初回のフラッシングが実施される。この際（すなわち、初回のフラッシングのためにノズルから開口２３に向けてＵＶインクが吐出される際）、吸収ドラム２００の外周部２０２のうち、図８Ａにてハッチングが施された領域Ａが、開口２３により露出する露出位置に位置する領域となる。そして、吸収ドラム２００は、前記領域Ａにて、初回のフラッシングのためにノズルから吐出された廃インクを受けることにより、前記領域Ａにて該廃インクを吸収する。
【００５９】
その後、紙保持ドラム２０が１回転すると、再び、紙保持ドラム２０の回転に伴ってノズルが開口２３に臨むようになり、前記複数回のフラッシングのうち、２回目のフラッシングが実施される。一方、初回のフラッシングが実施されてから２回目のフラッシングが実施されるまでの間、吸収ドラム２００が紙保持ドラム２０とは異なる角速度ω２にて回転する。この結果、吸収ドラム２００の外周部２０２のうち、初回のフラッシングのためにノズルから開口２３に向けてＵＶインクが吐出される際に前記露出位置する領域と、２回目のフラッシングのためにノズルから開口２３に向けてＵＶインクが吐出される際に前記露出位置する領域とが、吸収ドラム２００の回転方向において変化する（ずれる）ようになる。
【００６０】
より具体的に説明すると、吸収ドラム２００の外周部２０２のうち、２回目のフラッシングのためにノズルから開口２３に向けてＵＶインクが吐出される際に前記露出位置に位置する領域は、図８Ｂにてハッチングが施された領域中、前記領域Ａとは異なる領域Ｂとなる。ここで、本実施形態では、紙保持ドラム２０が１回転する間に吸収ドラム２００が９９／１２５回転するため、該吸収ドラム２００の回転方向における領域Ａ及び領域Ｂの間隔（より正確には、前記回転方向における領域Ａの中央と領域Ｂの中央との間の間隔であって、図８Ｂ中、記号ｌにて示す）は、吸収ドラム２００の外周の２６／１２５倍となる。すなわち、２回目のフラッシングのためにノズルから吐出された廃インクを吸収する領域Ｂは、前記吸収ドラム２００の回転方向とは反対の方向に、初回のフラッシングのためにノズルから吐出された廃インクを吸収する領域Ａ、から前記間隔ｌだけずれた領域となる。
【００６１】
以降、紙保持ドラム２０が１回転する度、フラッシングのためにノズルから開口２３に向けてＵＶインクが吐出されることになる。そして、図８Ｃ乃至図８Ｆに示すように、吸収ドラム２００の外周部２０２のうち、フラッシングのためにノズルから吐出された廃インクを吸収する領域が、フラッシング毎に、吸収ドラム２００の回転方向とは反対の方向に前記間隔ｌずつずれていく。
【００６２】
換言すると、本実施形態では、紙保持ドラム２０の角速度ω１及び吸収ドラム２００の角速度ω２の相対関係が、前記外周部２０２のうち、フラッシングのためにノズルから開口２３に向けてＵＶインクが吐出される際に前記露出位置に位置する領域が、フラッシング毎に、吸収ドラム２００の回転方向において一定間隔ずつ変化するような関係、になっている。
【００６３】
なお、ある回のフラッシングのためにノズルから開口２３に向けてＵＶインクが吐出される際に前記露出位置に位置する領域には、当該領域にて吸収されたＵＶインクが保持され続ける。これは、ＵＶ照射部４０から照射された紫外線の一部が、開口２３から紙保持ドラム２０内に漏れ込み、当該領域にて吸収されたＵＶインクに当たって該ＵＶインクを硬化させて、該ＵＶインクの前記外周部２０２内における流動を抑えるためである。
【００６４】
そして、吸収ドラム２００は、１２５回目のフラッシングまで、前記外周部２０２のうち、廃インクを吸収させる領域をフラッシング毎に一定間隔ずつ変化させながら、該廃インクを吸収し続ける。その後、１２６回目のフラッシングのためにノズルから開口２３に向けてＵＶインクが吐出される際には、前記露出位置に位置する領域が再び領域Ａに戻る。以降、上記と同様の流れに従って、前記露出位置に位置する領域が、吸収ドラム２００の回転方向において一定間隔ずつずれていく。
【００６５】
以上により、吸収ドラム２００の外周部２０２中、該吸収ドラム２００の回転方向において互いに位置が異なる１２５箇所の領域に、廃インクがバランスよく吸収されることになる。この結果、吸収ドラム２００の外周部２０２の一箇所のみに廃インクが局所的に吸収される場合と比較して、廃インクをより多く吸収することが可能になる。
【００６６】
なお、本実施形態では、紙保持ドラム２０の角速度ω１及び吸収ドラム２００の角速度ω２の相対関係の一例として、紙保持ドラム２０が１回転する間に吸収ドラム２００が９９／１２５回転する関係について説明したが、これに限定されるものではない。吸収ドラム２００は、紙保持ドラム２０が１回転する間にｆ／ｋ回転（ｆ／ｋは互いに素）であればよい。そして、ｋが大きいほど、吸収ドラム２００の外周部２０２における廃インクの吸収量をより増加させることが可能になる。
【００６７】
＜＜本実施形態のプリンタ１０の有効性について＞＞
本実施形態のプリンタ１０は、ＵＶインクを紙に吐出するためのノズルと、該紙を保持するための保持領域２２ａと、開口２３が形成された非保持領域２２ｂと、を周面２２に備え、該周面２２を前記ノズルに対向させながら回転する紙保持ドラム２０と、該紙保持ドラム２０内に備えられ、フラッシングのためにノズルから前記開口２３に向けて吐出された廃インク、を外周部２０２にて吸収する吸収ドラム２００と、を有する。これにより、紙保持ドラム２０の回転に支障を来たすことなく前記廃インクを吸収することが可能である。かかる効果について、図９を参照しながら説明する。図９は、本実施形態のプリンタ１０の有効性について説明するための比較例を示した図である。
【００６８】
『発明が解決しようとする課題』の項で説明したように、フラッシングのためにノズルから吐出された廃インク、を吸収するための吸収部材を設けた場合、当該吸収部材が廃インクを吸収することにより、紙保持ドラム２０の回転に対して影響を及ぼす可能性がある。例えば、図９に示すような吸収部材３００が紙保持ドラム２０に取り付けられている場合、該吸収部材３００は紙保持ドラム２０と一体的に回転することになる。この吸収部材３００は、スポンジ等の多孔質な吸収材料からなり、図９に示すように、紙保持ドラム２０の周面２２の非保持領域２２ｂにおいて該紙保持ドラム２０の軸方向に沿って形成された窪み、に嵌入された状態で該紙保持ドラム２０に取り付けられている。
【００６９】
したがって、吸収部材３００が紙保持ドラム２０と一体的に回転するため、該紙保持ドラム２０は、吸収部材３００が取り付けられている位置に廃インクを吸収させながら回転することになる。つまり、紙保持ドラム２０における吸収部材３００の取り付け位置に局所的に廃インクが吸収されることになる。また、図９に示すように、紙保持ドラム２００の回転方向における吸収部材３００の長さは、開口２３の長さよりも長くなっている。このため、前記開口２３を通過して吸収部材３００に吸収された廃インクは該吸収部材３００全体に浸透しきれず、該吸収部材３００の前記開口２３に臨んだ部分にのみ局所的に存在することになる。
【００７０】
以上により、吸収部材３００に廃インクが吸収され続けると、回転中の紙保持ドラム２０の重量バランスが変化してしまう。こうした紙保持ドラム２０の重量バランスの変化は、該紙保持ドラム２０の回転に乱れを生じさせ、該紙保持ドラム２０の回転に支障を来たしてしまう。
【００７１】
これに対して、本実施形態では、廃インクを吸収する部材としての吸収ドラム２００が、紙保持ドラム２０の内部に収容された状態で備えられている。すなわち、紙保持ドラム２０と、廃インクを吸収する吸収ドラム２００と、が別部材になっている。これにより、紙保持ドラム２０と吸収部材３００とが一体化している場合に生じる上記課題を解消することが可能になる。
【００７２】
具体的に説明すると、紙保持ドラム２０と吸収ドラム２００とが別部材になっているため、例えば、紙保持ドラム２０を回転させるための駆動モータと、吸収ドラム２００を回転させるための駆動モータとを、それぞれ別個に設けることにより、紙保持ドラム２０のみを単独で回転させることが可能である。この結果、廃インクを吸収する吸収ドラム２００が紙保持ドラム２０から分離されることになる。このことは、紙保持ドラム２０が、吸収ドラム２００が廃インクを吸収する際の影響を受けることなく（具体的には、廃インクの吸収により紙保持ドラム２０の重量バランスが変化することなく）、回転することが可能になることを意味する。このため、紙保持ドラム２０の回転に支障を来たすことなく、廃インクを吸収することが可能になる。
【００７３】
また、吸収ドラム２００が紙保持ドラム２０内において回転可能に支持されており、単一の駆動モータ８０により吸収ドラム２００及び紙保持ドラム２０の双方を回転させる構成、すなわち、紙保持ドラム２０の回転に吸収ドラム２００が連動して回転する構成、も考えられる。かかる構成においても、本実施形態のように紙保持ドラム２０と吸収ドラム２００とが別部材になっていることにより、紙保持ドラム２０の回転に支障を来たすことなく前記廃インクを吸収することが可能である。
【００７４】
単一の駆動モータ８０により吸収ドラム２００及び紙保持ドラム２０の双方を回転させる場合には、紙保持ドラム２０及び吸収ドラム２００の双方が、いずれも、複合歯車７３と噛合する歯車（すなわち、紙保持ドラム歯車７１や吸収ドラム歯車７２）を有していることになる。かかる構成の下では、吸収ドラム２００の回転、及び、紙保持ドラム２０の回転が互いに影響を及ぼし得る。そして、吸収ドラム２００の外周部２０２において局所的に廃インクが吸収された場合、吸収ドラム２００の重量バランスが崩れ、吸収ドラム２００の回転に乱れが生じてしまうことがある。そして、吸収ドラム２００の回転の乱れは、複合歯車７３を介して、紙保持ドラム２０側に伝達される結果、紙保持ドラム２０の回転にも乱れが生じてしまう。このように、吸収ドラム２００の外周部２０２において局所的に廃インクが吸収されると、紙保持ドラム２０の回転に支障を来たしてしまう虞がある。
【００７５】
しかし、単一の駆動モータ８０により吸収ドラム２００及び紙保持ドラム２０の双方を回転させる場合であっても、当該双方が互いに別部材であり、かつ、当該双方がいずれも回転可能に支持されていることにより、吸収ドラム２００の外周部２０２における局所的な廃インクの吸収、を回避することが可能である。
【００７６】
具体的に説明すると、吸収ドラム２００を回転させることによって、吸収ドラム２００の外周部２０２のうち、フラッシングのためにノズルから開口２３に向けてＵＶインクが吐出される際に前記露出位置に位置する領域を、吸収ドラム２００の回転方向において変化させることが可能になる。これにより、吸収ドラム２００の外周部２０２における廃インクの吸収領域が、該吸収ドラム２００の回転方向において変化するようになり（ずれるようになり）、局所的な廃インクの吸収を回避することが可能になる。
【００７７】
より詳細に説明すると、本実施形態では、紙保持ドラム２０及び吸収ドラム２００の角速度の相対関係が、複数回のフラッシングが実施される場合に、前記外周部２０２のうち、当該複数回のフラッシング中の一のフラッシングのためにノズルからＵＶインクが吐出される際に前記露出位置に位置する領域と、他のフラッシングのためにノズルからＵＶインクが吐出される際に前記露出位置に位置する領域と、が吸収ドラム２００の回転方向において異なるような関係、となっている。
【００７８】
これにより、吸収ドラム２００の外周部２０２における局所的な廃インクの吸収が抑制され、上述したような吸収ドラム２００の回転の乱れを抑えることが可能になる。この結果、紙保持ドラム２０の回転に支障を来たすことなく、廃インクを適切に吸収することが可能になる。また、紙保持ドラム２０及び吸収ドラム２００の角速度の相対関係が上記関係になっていれば、前記外周部２０２のうち、廃インクを吸収する領域が増える結果、当該外周部２０２における廃インクの吸収量を増加させることが可能になる。
【００７９】
なお、吸収ドラム２００及び紙保持ドラム２０の角速度の相対関係が上記関係となっていることにより、紙保持ドラム２０の回転期間中、吸収ドラム２００の外周部２０２中の廃インクを吸収する領域、が自動的に変わることになる。しかし、吸収ドラム２００が紙保持ドラム２０内に回転可能に支持されていれば、例え前記相対関係が上記以外の関係（すなわち、吸収ドラム２００の角速度ω２が紙保持ドラム２０の角速度ω１の整数倍になっている関係）であっても、紙保持ドラム２０が停止している間にユーザが手動にて吸収ドラム２００を紙保持ドラム２０に対して相対的に回転させる等して、前記廃インクを吸収する領域を変えることが可能である。但し、本実施形態のように、吸収ドラム２００及び紙保持ドラム２０の角速度の相対関係が上記関係となっていれば、廃インクを吸収する領域をユーザに変えさせる手間、を省くことが可能になる。
【００８０】
さらに、本実施形態では、紙保持ドラム２０の回転に伴ってノズルが開口２３に臨む度（すなわち、ノズルが開口２３に臨んでから紙保持ドラム２０が１回転する度）に、フラッシングのためにノズルから前記開口２３に向けてＵＶインクが吐出されることとした。一方で、吸収ドラム２００は、紙保持ドラム２０が１回転する間に、ｆ／ｋ回転（＝９９／１２５回転）することとした。この結果、本実施形態では、紙保持ドラム２０及び吸収ドラム２００の角速度の相対関係が、フラッシングのためにノズルから前記開口２３に向けてＵＶインクが吐出される際に前記露出位置に位置する領域が、フラッシング毎に、吸収ドラム２００の回転方向において一定間隔ｌずつ変化するような関係、になる（図８Ａ〜図８Ｇ参照）。
【００８１】
以上により、本実施形態では、吸収ドラム２００の外周部２０２に、バランス良く廃インクを吸収させることが可能になる。具体的に説明すると、前記外周部２０２のうち、吸収ドラム２００の回転方向において互いに位置が異なるｋ箇所（１２５箇所）の領域に、満遍なく廃インクを吸収させることが可能になる。これにより、吸収ドラム２００の回転に乱れが生じることを、より効果的に抑制することが可能になる。この結果、紙保持ドラム２０の回転に乱れが生じることを、より効果的に抑制し、該紙保持ドラム２０の回転状態をより安定させることが可能になる。
【００８２】
＝＝＝その他の実施形態＝＝＝
以上、上記実施の形態に基づき、主として、流体吐出装置の一例であるプリンタ１０について説明したが、上記した発明の実施の形態は、本発明の理解を容易にするためのものであり、本発明を限定するものではない。本発明は、その趣旨を逸脱することなく、変更、改良され得ると共に、本発明にはその等価物が含まれることはもちろんである。
【００８３】
また、上記の実施形態では、流体の一例であるＵＶインクを吐出するインクジェット式記録装置について説明したが、これに限られるものではない。ＵＶインク以外の他の液体（液体以外にも、機能材料の粒子が分散されている液状体、ジェルのような流状体を含む）や液体以外の流体（流体として流して噴射できる固体など）を吐出する流体吐出装置に具体化することも可能である。例えば、液晶ディスプレイ、ＥＬ（エレクトロルミネッセンス）ディスプレイ及び面発光ディスプレイの製造などに用いられる電極材や色材などの材料が分散または溶解した状態で含まれた液状体を吐出する流体吐出装置、バイオチップ製造に用いられる生体有機物を吐出する流体吐出装置、精密ピペットとして用いられ試料となる液体を吐出する液体吐出装置であってもよい。さらに、時計やカメラ等の精密機械にピンポイントで潤滑油を吐出する液体吐出装置、光通信素子等に用いられる微小半球レンズ（光学レンズ）などを形成するために紫外線硬化樹脂等の透明樹脂液を基板上に吐出する液体吐出装置、基板などをエッチングするために酸又はアルカリ等のエッチング液を吐出する流体吐出装置、ジェルを吐出する流状体吐出装置、トナーなどの粉体を例とする固体を吐出する粉体吐出式記録装置であってもよい。そして、これらのうちいずれか一種の吐出装置に本発明を適用することができる。
【図面の簡単な説明】
【００８４】
【図１】プリンタ１０の構造を模式的に示す斜視図である。
【図２】紙保持ドラム２０と周辺機器の構造を示す断面図である。
【図３】ヘッド部３０の斜視図である。
【図４】ノズル面３１ａを示した図である。
【図５】ＵＶ照射部４０の斜視図である。
【図６】プリンタ１０の制御ユニット１００を示すブロック図である。
【図７】吸収ドラム２００の構成についての説明図である。
【図８】図８Ａ乃至図８Ｇは、吸収ドラム２００が廃インクを吸収する様子を経時的に示した図である。
【図９】本実施形態のプリンタ１０の有効性について説明するための比較例を示した図である。
【符号の説明】
【００８５】
１０  プリンタ、１２  フレーム、１４  軸受、
２０  紙保持ドラム、２１  紙保持ドラム回転軸、２１ａ  貫通孔、２１ｂ  先端部、
２２  周面、２２ａ  保持領域、２２ｂ  非保持領域、２３  開口、
３０  ヘッド部、３１  ヘッド、３１ａ  ノズル面、
３２  ヘッドキャリッジ、３３  インクカートリッジ、
４０  ＵＶ照射部、４０ａ  照射面、４１  ランプユニット、
４２  照射部キャリッジ、４３  ホルダー、
５１、５２、５３、５４  ガイド軸、６０  給紙部、６２  排紙部、
７１  紙保持ドラム歯車、７２  吸収ドラム歯車、７３  複合歯車、
７３ａ  第一駆動歯車、７３ｂ  第二駆動歯車、
８０  駆動モータ、８１  駆動軸、
１００  制御ユニット、１０１  メインコントローラ、
１０２  インターフェイス、１０３  画像メモリ、１０４  サブコントローラ、
２００  吸収ドラム、２０１  吸収ドラム回転軸、２０１ａ  先端部、
２０２  外周部、２０３  ドラム基部、２０３ａ  通気孔、２１０  吸引機構
【図１】
0005092783.tif 000002
【図３】
0005092783.tif 000003
【図４】
0005092783.tif 000004
【図５】
0005092783.tif 000005
【図６】
0005092783.tif 000006
【図２】
0005092783.tif 000007
【図７】
0005092783.tif 000008
【図８】
0005092783.tif 000009
【図９】
0005092783.tif 000010